(57)【要約】【課題】移動度補正の精度を上げて画面のユニフォーミティを高めた表示装置を提供する。【解決手段】画素２は、制御信号に応じてサンプリング用トランジスタＴ１がオンした時駆動用トランジスタＴ２の閾電圧Ｖｔｈを補正する電圧を保持容量Ｃ１に保持する閾電圧補正動作を行い、続いて制御信号に応じてサンプリング用トランジスタＴ１がオンした時映像信号をサンプリングして保持容量Ｃ１に書き込むと共に書込まれた映像信号に対して駆動用トランジスタＴ２の移動度μに関する補正をかける移動度補正動作を行い、その後補正のかかった映像信号に応じて駆動電流を駆動用トランジスタＴ２から発光素子ＥＬに供給する。サンプリング用トランジスタＴ１は、閾電圧補正動作時におけるオン抵抗よりも、移動度補正動作時におけるオン抵抗の方が高くなるように制御されている。【選択図】図２
2010091641.tif 000002
【特許請求の範囲】
【請求項１】
行状に配された走査線と、列状に配された信号線と、各走査線と各信号線とが交差する部分に配された行列状の画素とを備えた画素アレイ部と、
該走査線及び信号線を介して各画素を駆動する駆動部とからなり、
前記画素は少なくとも、サンプリング用トランジスタと、駆動用トランジスタと、保持容量と、発光素子とを含み、
前記サンプリング用トランジスタは、その制御端が該走査線に接続し、その一対の電流端が該信号線と該駆動用トランジスタの制御端との間に接続し、
前記駆動用トランジスタは、その電流端が該発光素子に接続し、
前記保持容量は、該駆動用トランジスタの制御端と電流端との間に接続し、
前記駆動部は、各走査線に順次制御信号を供給するスキャナと、各信号線に映像信号を供給するドライバとを有し、
前記画素は、該制御信号に応じて該サンプリング用トランジスタがオンした時該駆動用トランジスタの閾電圧を補正する電圧を該保持容量に保持する閾電圧補正動作を行い、
続いて該制御信号に応じて該サンプリング用トランジスタがオンした時該映像信号をサンプリングして該保持容量に書き込むと共に書込まれた映像信号に対して該駆動用トランジスタの移動度に関する補正をかける移動度補正動作を行い、
その後補正のかかった映像信号に応じて駆動電流を駆動用トランジスタから該発光素子に供給し、
前記サンプリング用トランジスタは、閾電圧補正動作時におけるオン抵抗よりも、移動度補正動作時におけるオン抵抗の方が高くなるように制御されている表示装置。
【請求項２】
前記スキャナは、閾電圧補正動作時該サンプリング用トランジスタの制御端に印加する制御信号の電圧レベルよりも、移動度補正動作時該サンプリング用トランジスタの制御端に印加する制御信号の電圧レベルを低く設定し、以って閾電圧補正動作時における該サンプリング用トランジスタのオン抵抗よりも、移動度補正動作時における該サンプリング用トランジスタのオン抵抗の方が高くなるように制御する請求項１記載の表示装置。
【請求項３】
前記サンプリング用トランジスタは、該信号線と該駆動用トランジスタの制御端との間に並列に接続した一対のトランジスタ素子からなり、
閾電圧補正動作時該一対のトランジスタ素子の両方が制御信号に応じてオンし、移動度補正動作時該一対のトランジスタ素子の片方のみが制御信号に応じてオンし、
以って閾電圧補正動作時における該サンプリング用トランジスタのオン抵抗よりも、移動度補正動作時における該サンプリング用トランジスタのオン抵抗の方が高くなるように制御する請求項１記載の表示装置。
【請求項４】
前記スキャナは、移動度補正動作時該サンプリング用トランジスタの制御端に第１の制御信号と第２の制御信号を印加して、サンプリング用トランジスタを一回目と二回目に分けて順次オンし、
一回目のオン抵抗は、閾電圧補正時のオン抵抗と同じに制御され、
二回目のオン抵抗は、閾電圧補正時のオン抵抗よりも高く制御される請求項１記載の表示装置。
【請求項５】
前記サンプリング用トランジスタは一回目にオンする時、映像信号より低い電位をサンプリングして該保持容量に書き込み、二回目にオンする時、該映像信号をサンプリングして該保持容量に書込む請求項４記載の表示装置。
【請求項６】
行状に配された走査線と、列状に配された信号線と、各走査線と各信号線とが交差する部分に配された行列状の画素とを備えた画素アレイ部と、
該走査線及び信号線を介して各画素を駆動する駆動部とからなり、
前記画素は少なくとも、サンプリング用トランジスタと、駆動用トランジスタと、保持容量と、発光素子とを含み、
前記サンプリング用トランジスタは、その制御端が該走査線に接続し、その一対の電流端が該信号線と該駆動用トランジスタの制御端との間に接続し、
前記駆動用トランジスタは、その電流端が該発光素子に接続し、
前記保持容量は、該駆動用トランジスタの制御端と電流端との間に接続し、
前記駆動部は、各走査線に順次制御信号を供給するスキャナと、各信号線に映像信号を供給するドライバとを有し、
前記画素は、該制御信号に応じて該サンプリング用トランジスタがオンした時該駆動用トランジスタの閾電圧を補正する電圧を該保持容量に保持する閾電圧補正動作を行い、
続いて該制御信号に応じて該サンプリング用トランジスタがオンした時該映像信号をサンプリングして該保持容量に書き込むと共に書込まれた映像信号に対して該駆動用トランジスタの移動度に関する補正をかける移動度補正動作を行い、
その後補正のかかった映像信号に応じて駆動電流を駆動用トランジスタから該発光素子に供給し、
前記サンプリング用トランジスタを、閾電圧補正動作時におけるオン抵抗よりも、移動度補正動作時におけるオン抵抗の方が高くなるように制御する表示装置の駆動方法。
【請求項７】
本体部と、該本体部に入力する情報若しくは本体部から出力された情報を表示する表示部とからなり、
前記表示部は、行状に配された走査線と、列状に配された信号線と、各走査線と各信号線とが交差する部分に配された行列状の画素とを備えた画素アレイ部と、
該走査線及び信号線を介して各画素を駆動する駆動部とからなり、
前記画素は少なくとも、サンプリング用トランジスタと、駆動用トランジスタと、保持容量と、発光素子とを含み、
前記サンプリング用トランジスタは、その制御端が該走査線に接続し、その一対の電流端が該信号線と該駆動用トランジスタの制御端との間に接続し、
前記駆動用トランジスタは、その電流端が該発光素子に接続し、
前記保持容量は、該駆動用トランジスタの制御端と電流端との間に接続し、
前記駆動部は、各走査線に順次制御信号を供給するスキャナと、各信号線に映像信号を供給するドライバとを有し、
前記画素は、該制御信号に応じて該サンプリング用トランジスタがオンした時該駆動用トランジスタの閾電圧を補正する電圧を該保持容量に保持する閾電圧補正動作を行い、
続いて該制御信号に応じて該サンプリング用トランジスタがオンした時該映像信号をサンプリングして該保持容量に書き込むと共に書込まれた映像信号に対して該駆動用トランジスタの移動度に関する補正をかける移動度補正動作を行い、
その後補正のかかった映像信号に応じて駆動電流を駆動用トランジスタから該発光素子に供給し、
前記サンプリング用トランジスタは、閾電圧補正動作時におけるオン抵抗よりも、移動度補正動作時におけるオン抵抗の方が高くなるように制御されている電子機器。
【発明の詳細な説明】
【技術分野】
【０００１】
本発明は発光素子を画素に用いたアクティブマトリクス型の表示装置及びその駆動方法に関する。またこのような表示装置を備えた電子機器に関する。
【背景技術】
【０００２】
発光素子として有機ＥＬデバイスを用いた平面自発光型の表示装置の開発が近年盛んになっている。有機ＥＬデバイスは有機薄膜に電界をかけると発光する現象を利用したデバイスである。有機ＥＬデバイスは印加電圧が１０Ｖ以下で駆動するため低消費電力である。また有機ＥＬデバイスは自ら光を発する自発光素子であるため、照明部材を必要とせず軽量化及び薄型化が容易である。さらに有機ＥＬデバイスの応答速度は数μｓ程度と非常に高速であるので、動画表示時の残像が発生しない。
【０００３】
有機ＥＬデバイスを画素に用いた平面自発光型の表示装置の中でも、とりわけ駆動素子として薄膜トランジスタを各画素に集積形成したアクティブマトリクス型の表示装置の開発が盛んである。アクティブマトリクス型平面自発光表示装置は、例えば以下の特許文献１ないし５に記載されている。
【特許文献１】特開２００３−２５５８５６
【特許文献２】特開２００３−２７１０９５
【特許文献３】特開２００４−１３３２４０
【特許文献４】特開２００４−０２９７９１
【特許文献５】特開２００４−０９３６８２
【０００４】
図２３は従来のアクティブマトリクス型表示装置の一例を示す模式的な回路図である。表示装置は画素アレイ部１と周辺の駆動部とで構成されている。駆動部は信号ドライバ３とライトスキャナ４を備えている。画素アレイ部１は列状の信号線ＳＬと行状の走査線ＷＳを備えている。各信号線ＳＬと走査線ＷＳの交差する部分に画素２が配されている。図では理解を容易にするため、１個の画素２のみを表してある。ライトスキャナ４はシフトレジスタを備えており、外部から供給されるクロック信号ｃｋに応じて動作し同じく外部から供給されるスタートパルスｓｐを順次転送することで、走査線ＷＳに順次制御信号を出力する。信号ドライバ３はライトスキャナ４側の線順次走査に合わせて映像信号を信号線ＳＬに供給する。
【０００５】
画素２はサンプリング用トランジスタＴ１と駆動用トランジスタＴ２と保持容量Ｃ１と発光素子ＥＬとで構成されている。駆動用トランジスタＴ２はＰチャネル型であり、その一方の電流端であるソースは電源ラインに接続し、他方の電流端であるドレインは発光素子ＥＬに接続している。駆動用トランジスタＴ２の制御端であるゲートはサンプリング用トランジスタＴ１を介して信号線ＳＬに接続している。サンプリング用トランジスタＴ１はライトスキャナ４から供給される制御信号に応じて導通し、信号線ＳＬから供給される映像信号をサンプリングして保持容量Ｃ１に書き込む。駆動用トランジスタＴ２は保持容量Ｃ１に書き込まれた映像信号をゲート電圧Ｖｇｓとしてそのゲートに受け、ドレイン電流Ｉｄｓを発光素子ＥＬに流す。これにより発光素子ＥＬは映像信号に応じた輝度で発光する。ゲート電圧Ｖｇｓは、ソースを基準にしたゲートの電位を表している。
【０００６】
駆動用トランジスタＴ２は飽和領域で動作し、ゲート電圧Ｖｇｓとドレイン電流Ｉｄｓの関係は以下の特性式で表される。
Ｉｄｓ＝（１／２）μ（Ｗ／Ｌ）Ｃｏｘ（Ｖｇｓ−Ｖｔｈ）２
ここでμは駆動用トランジスタの移動度、Ｗは駆動用トランジスタのチャネル幅、Ｌは同じくチャネル長、Ｃｏｘは同じく単位面積あたりのゲート絶縁膜容量、Ｖｔｈは同じく閾電圧である。この特性式から明らかなように駆動用トランジスタＴ２は飽和領域で動作するとき、ゲート電圧Ｖｇｓに応じてドレイン電流Ｉｄｓを供給する定電流源として機能する。
【０００７】
図２４は、発光素子ＥＬの電圧／電流特性を示すグラフである。横軸にアノード電圧Ｖを示し、縦軸に駆動電流Ｉｄｓをとってある。なお発光素子ＥＬのアノード電圧は駆動用トランジスタＴ２のドレイン電圧となっている。発光素子ＥＬは電流／電圧特性が経時変化し、特性カーブが時間の経過と共に寝ていく傾向にある。このため駆動電流Ｉｄｓが一定であってもアノード電圧（ドレイン電圧）Ｖが変化してくる。その点、図２３に示した画素回路２は駆動用トランジスタＴ２が飽和領域で動作し、ドレイン電圧の変動に関わらずゲートで電圧Ｖｇｓに応じた駆動電流Ｉｄｓを流すことができるので、発光素子ＥＬの特性経時変化に関わらず発光輝度を一定に保つことが可能である。
【０００８】
図２５は、従来の画素回路の他の例を示す回路図である。先に示した図２３の画素回路と異なる点は、駆動用トランジスタＴ２がＰチャネル型からＮチャネル型に変わっていることである。回路の製造プロセス上は、画素を構成する全てのトランジスタをＮチャネル型にすることが有利である場合が多い。
【発明の開示】
【発明が解決しようとする課題】
【０００９】
しかしながら図２５の回路構成では、駆動用トランジスタＴ２がＮチャネル型であるため、そのドレインが電源ラインに接続する一方、ソースＳが発光素子ＥＬのアノードに接続することになる。従って発光素子ＥＬの特性が経時変化した場合、ソースＳの電位に影響が現れるため、Ｖｇｓが変動し駆動用トランジスタＴ２が供給するドレイン電流Ｉｄｓが経時的に変化してしまう。このため発光素子ＥＬの輝度が経時的に変動する。また発光素子ＥＬばかりでなく、駆動用トランジスタＴ２の閾電圧Ｖｔｈも画素毎にばらつく。パラメータＶｔｈは前述したトランジスタ特性式に含まれるため、Ｖｇｓが一定でもＩｄｓが変化してしまう。これにより画素毎に発光輝度が変化し画面のユニフォーミティが得られない。従来から画素毎にばらつく駆動用トランジスタＴ２の閾電圧Ｖｔｈを補正する機能（閾電圧補正機能）を備えた表示装置が提案されており、例えば前述の特許文献３に開示がある。
【００１０】
さらに駆動用トランジスタＴ２は、閾電圧Ｖｔｈに加えて移動度μも画素ごとにばらつく。パラメータμは前述したトランジスタ特性式に含まれるため、Ｖｇｓが一定でもＩｄｓが変化してしまう。これにより画素ごとに発光輝度が変化し画面のユニフォーミティが得られない。従来から画素ごとにばらつく駆動用トランジスタＴ２の移動度μを補正する機能（移動度補正機能）を備えた表示装置も提案されている。
【００１１】
画素は、制御信号に応じてサンプリング用トランジスタがオンした時駆動用トランジスタの閾電圧Ｖｔｈを補正する電圧を保持容量に保持する閾電圧補正動作を行う。続いて制御信号に応じてサンプリング用トランジスタがオンした時映像信号をサンプリングして保持容量に書き込むと共に書込まれた映像信号に対して駆動用トランジスタの移動度μに関する補正をかける移動度補正動作を行う。その後補正のかかった映像信号に応じて駆動電流Ｉｄｓを駆動用トランジスタから発光素子ＥＬに供給する。
【００１２】
ここで、移動度μのバラツキのない均一な画質を得るためには移動度補正動作を正確に制御する必要があり、そのためにはサンプリング用トランジスタに印加する制御信号のパルスが急峻であることが望ましい。しかしパネルの高精細化に伴い、走査線の本数が増えてくると、一本あたりの走査線に割当てられる一水平走査期間が短縮化される。従って、映像信号をサンプリングし且つ移動度補正動作を行なうための時間が短くなってしまう。換言すると、移動度補正動作を行なう際の制御信号パルスの時間幅が短縮化される。その結果、制御信号パルスになまりが少しでもあると、移動度補正動作に対する影響は大きくなってしまう。一方閾電圧補正動作の方は、映像信号のサンプリングとは別に行なうため時間的な余裕があり、制御信号パルスの時間幅にも余裕がある。
【００１３】
パネルの高精細化・大画面化によってサンプリング用トランジスタの制御信号パルスの時間幅が短くなり、相対的に制御信号パルス波形のなまりが目立ってくると、移動度補正時間がパネルの面内でばらつくことによって、完全に移動度補正することができなくなってしまう。さらに制御信号パルスはパネルの外部から供給されるパルスであるが、この外部回路の出力バラツキによって制御信号パルスの幅が変動しても移動度補正の時間がばらついてしまい、完全に移動度補正を行うことができず、ムラやスジといった画質不良が発生してしまう。
【課題を解決するための手段】
【００１４】
上述した従来の技術の課題に鑑み、本発明は移動度補正の精度を上げて画面のユニフォーミティを高めた表示装置を提供することを目的とする。かかる目的を達成するために以下の手段を講じた。即ち本発明は、行状に配された走査線と、列状に配された信号線と、各走査線と各信号線とが交差する部分に配された行列状の画素とを備えた画素アレイ部と、該走査線及び信号線を介して各画素を駆動する駆動部とからなる表示装置において、前記画素は少なくとも、サンプリング用トランジスタと、駆動用トランジスタと、保持容量と、発光素子とを含み、前記サンプリング用トランジスタは、その制御端が該走査線に接続し、その一対の電流端が該信号線と該駆動用トランジスタの制御端との間に接続し、前記駆動用トランジスタは、その電流端が該発光素子に接続し、  前記保持容量は、該駆動用トランジスタの制御端と電流端との間に接続している。前記駆動部は、各走査線に順次制御信号を供給するスキャナと、各信号線に映像信号を供給するドライバとを有する。前記画素は、該制御信号に応じて該サンプリング用トランジスタがオンした時該駆動用トランジスタの閾電圧を補正する電圧を該保持容量に保持する閾電圧補正動作を行い、続いて該制御信号に応じて該サンプリング用トランジスタがオンした時該映像信号をサンプリングして該保持容量に書き込むと共に書込まれた映像信号に対して該駆動用トランジスタの移動度に関する補正をかける移動度補正動作を行い、その後補正のかかった映像信号に応じて駆動電流を駆動用トランジスタから該発光素子に供給する。特徴事項として、前記サンプリング用トランジスタは、閾電圧補正動作時におけるオン抵抗よりも、移動度補正動作時におけるオン抵抗の方が高くなるように制御されている。
【００１５】
一態様では、前記スキャナは、閾電圧補正動作時該サンプリング用トランジスタの制御端に印加する制御信号の電圧レベルよりも、移動度補正動作時該サンプリング用トランジスタの制御端に印加する制御信号の電圧レベルを低く設定し、以って閾電圧補正動作時における該サンプリング用トランジスタのオン抵抗よりも、移動度補正動作時における該サンプリング用トランジスタのオン抵抗の方が高くなるように制御する。他の態様では、前記サンプリング用トランジスタは、該信号線と該駆動用トランジスタの制御端との間に並列に接続した一対のトランジスタ素子からなり、閾電圧補正動作時該一対のトランジスタ素子の両方が制御信号に応じてオンし、移動度補正動作時該一対のトランジスタ素子の片方のみが制御信号に応じてオンし、以って閾電圧補正動作時における該サンプリング用トランジスタのオン抵抗よりも、移動度補正動作時における該サンプリング用トランジスタのオン抵抗の方が高くなるように制御する。別の態様では、前記スキャナは、移動度補正動作時該サンプリング用トランジスタの制御端に第１の制御信号と第２の制御信号を印加して、サンプリング用トランジスタを一回目と二回目に分けて順次オンし、一回目のオン抵抗は、閾電圧補正時のオン抵抗と同じに制御され、二回目のオン抵抗は、閾電圧補正時のオン抵抗よりも高く制御される。この場合、前記サンプリング用トランジスタは一回目にオンする時、映像信号より低い電位をサンプリングして該保持容量に書込み、二回目にオンする時、該映像信号をサンプリングして該保持容量に書込むようにしても良い。
【発明の効果】
【００１６】
本発明によれば、電流を流しながら短時間で移動度補正を行う駆動方式において、移動度補正時におけるサンプリング用トランジスタのオン抵抗を閾電圧補正動作時におけるオン抵抗よりも上げることで、移動度補正時に流れる電流を下げ、以って信号書込み動作と同時に行う移動度補正動作の時間を長くすることができる。これにより移動度補正時間を制御する制御信号パルスのなまりやバラツキが移動度補正動作に与える影響を小さくすることができる。その結果、パネルの高精細化・大画面化が実現可能であり、ムラやスジ、シェーディングといった画質不良のない均一な画質を得ることが可能である。
【発明を実施するための最良の形態】
【００１７】
以下図面を参照して本発明の実施の形態を詳細に説明する。図１は本発明にかかる表示装置の第１実施形態の全体構成を示すブロック図である。図示するように、本表示装置は、画素アレイ部１とこれを駆動する駆動部（３，４，５）とからなる。画素アレイ部１は、行状の走査線ＷＳと、列状の信号線ＳＬと、両者が交差する部分に配された行列状の画素２と、各画素２の各行に対応して配された電源ラインである給電線ＤＳとを備えている。駆動部（３，４，５）は、各走査線ＷＳに順次制御信号を供給して画素２を行単位で線順次走査する制御用スキャナ（ライトスキャナ）４と、この線順次走査に合わせて各給電線ＤＳに第１電位と第２電位で切換る電源電圧を供給する電源スキャナ（ドライブスキャナ）５と、この線順次走査に合わせて列状の信号線ＳＬに映像信号となる信号電位と基準電位を供給する信号ドライバ３とを備えている。なおライトスキャナ４は外部から供給されるクロック信号ＷＳｃｋに応じて動作し同じく外部から供給されるスタートパルスＷＳｓｐを順次転送することで、各走査線ＷＳに制御信号を出力している。ドライブスキャナ５は外部から供給されるクロック信号ＤＳｃｋに応じて動作し、同じく外部から供給されるスタートパルスＤＳｓｐを順次転送することで、給電線ＤＳの電位を線順次で切換えている。
【００１８】
図２は、図１に示した表示装置に含まれる画素２の具体的な構成を示す回路図である。図示するように本画素回路２は、有機ＥＬデバイスなどで代表される２端子型（ダイオード型）の発光素子ＥＬと、Ｎチャネル型のサンプリング用トランジスタＴ１と、同じくＮチャネル型の駆動用トランジスタＴ２と、薄膜タイプの保持容量Ｃ１とで構成されている。サンプリング用トランジスタＴ１はその制御端であるゲートが走査線ＷＳに接続し、その一対の電流端であるソース及びドレインの一方が信号線ＳＬに接続し、他方が駆動用トランジスタＴ２のゲートＧに接続している。駆動用トランジスタＴ２は、そのソース及びドレインの一方が発光素子ＥＬに接続し、他方が給電線ＤＳに接続している。本形態は駆動用トランジスタＴ２がＮチャネル型であり、その片方の電流端であるドレイン側が給電線ＤＳに接続し、もう片方の電流端であるソースＳ側が発光素子ＥＬのアノード側に接続している。発光素子ＥＬのカソードは所定のカソード電位Ｖｃａｔに固定されている。保持容量Ｃ１は駆動用トランジスタＴ２の電流端であるソースＳと制御端であるゲートＧとの間に接続している。かかる構成を有する画素２に対して、制御用スキャナ（ライトスキャナ）４は、走査線ＷＳを低電位と高電位の間で切り換えることで順次制御信号を出力し、画素２を行単位で線順次走査する。電源スキャナ（ドライブスキャナ）５は、線順次走査に合わせて各給電線ＤＳに第１電位Ｖｃｃと第２電位Ｖｓｓで切換る電源電圧を供給している。信号ドライバ３は、線順次走査に合わせて列状の信号線ＳＬに映像信号となる信号電位Ｖｓｉｇと基準電位Ｖｏｆｓを供給している。
【００１９】
かかる構成において、サンプリング用トランジスタＴ１は、制御信号が立上がるタイミングでオンした後、制御信号が立下がってオフするタイミングまでのサンプリング期間に、信号電位Ｖｓｉｇをサンプリングして保持容量Ｃ１に書き込む。この時同時に駆動用トランジスタＴ２に流れる電流を保持容量Ｃ１に負帰還して駆動用トランジスタＴ２の移動度μに対する補正を保持容量Ｃ１に書き込まれた信号電位にかける。即ちサンプリング期間が、駆動用トランジスタＴ２に流れる電流を保持容量Ｃ１に負帰還する移動度補正期間にもなっている。
【００２０】
図２に示した画素回路は、上述した移動度補正機能に加え閾電圧補正機能も備えている。即ち電源スキャナ（ドライブスキャナ）５はサンプリング用トランジスタＴ１が信号電位Ｖｓｉｇをサンプリングする前に、第１タイミングで給電線ＤＳを第１電位Ｖｃｃから第２電位Ｖｓｓに切り換える。制御用スキャナ（ライトスキャナ）４は、同じくサンプリング用トランジスタＴ１が信号電位Ｖｓｉｇをサンプリングする前に、第２タイミングでサンプリング用トランジスタＴ１を導通させて信号線ＳＬから基準電位Ｖｏｆｓを駆動用トランジスタＴ２のゲートＧに印加すると共に、駆動用トランジスタＴ２のソースＳを第２電位Ｖｓｓにセットする。電源スキャナ（ドライブスキャナ）５は、第２タイミングの後の第３タイミングで、給電線ＤＳを第２電位Ｖｓｓから第１電位Ｖｃｃに切り換えて、駆動用トランジスタＴ２の閾電圧Ｖｔｈに相当する電圧を保持容量Ｃ１に保持する。かかる閾電圧補正機能より、本表示装置は画素毎にばらつく駆動用トランジスタＴ２の閾電圧Ｖｔｈの影響をキャンセルすることができる。なお、第１タイミングと第２タイミングの前後は問わない。
【００２１】
図２に示した画素回路２はさらにブートストラップ機能も備えている。即ちライトスキャナ４は、保持容量Ｃ１に信号電位Ｖｓｉｇが保持された時点で、サンプリング用トランジスタＴ１を非導通状態にして駆動用トランジスタＴ２のゲートＧを信号線ＳＬから電気的に切り離し、以って駆動用トランジスタＴ２のソース電位の変動にゲート電位が連動しゲートＧとソースＳ間の電圧Ｖｇｓを一定に維持する。発光素子ＥＬの電流／電圧特性が経時変動しても、ゲート電圧Ｖｇｓを一定に維持することができ、輝度の変化が生じない。
【００２２】
図３−１は本発明の第１実施形態を表しており、図２に示した画素の動作説明に供するタイミングチャートである。このタイミングチャートは時間軸を共通にして、走査線ＷＳの電位変化、給電線（電源ライン）ＤＳの電位変化、信号線ＳＬの電位変化を表してある。走査線ＷＳの電位変化は制御信号を表し、サンプリング用トランジスタＴ１の開閉制御を行っている。給電線ＤＳの電位変化は、電源電圧Ｖｃｃ，Ｖｓｓの切換えを表している。また信号線ＳＬの電位変化は入力信号の信号電位Ｖｓｉｇと基準電位Ｖｏｆｓの切換えを表している。またこれらの電位変化と並行に、駆動用トランジスタＴ２のゲートＧ及びソースＳの電位変化も表している。前述したようにゲートＧとソースＳの電位差がＶｇｓである。
【００２３】
このタイミングチャートは画素の動作の遷移に合わせて期間を（１）〜（７）のように便宜的に区切ってある。当該フィールドに入る直前の期間（１）では発光素子ＥＬが発光状態にある。その後線順次走査の新しいフィールドに入ってまず最初の期間（２）で給電線ＤＳを第１電位Ｖｃｃから第２電位Ｖｓｓに切り換える。次の期間（３）に進み入力信号をＶｓｉｇからＶｏｆｓに切り換えると共にサンプリング用トランジスタＴ１をオンする。この期間（２）〜（３）で駆動用トランジスタＴ２のゲート電圧及びソース電圧を初期化する。その期間（２）〜（３）は閾電圧補正のための準備期間であり、駆動用トランジスタＴ２のゲートＧがＶｏｆｓに初期化される一方、ソースＳがＶｓｓに初期化される。続いて待機期間（４）を経た後、閾値補正期間（５）で実際に閾電圧補正動作が行われ、駆動用トランジスタＴ２のゲートＧとソースＳとの間に閾電圧Ｖｔｈに相当する電圧が保持される。実際にはＶｔｈに相当する電圧が、駆動用トランジスタＴ２のゲートＧとソースＳとの間に接続された保持容量Ｃ１に書き込まれることになる。
【００２４】
なお図３−１に示した実施例では、閾値補正期間（５）は３回に分けており、時分割的に閾電圧補正動作を行っている。各閾電圧補正期間（５）の間には待機期間（５ａ）が挿入されている。この様に閾電圧補正期間（５）を分割して閾電圧補正動作を複数回繰り返すことにより、Ｖｔｈに相当する電圧を保持容量Ｃ１に書き込むようにしている。但し本発明はこれに限られるものではなく、１回の閾電圧補正期間（５）で補正動作を行うことも可能である。
【００２５】
この後、書込動作期間／移動度補正期間（６）に進む。ここで映像信号の信号電位ＶｓｉｇがＶｔｈに足し込まれる形で保持容量Ｃ１に書き込まれると共に、移動度補正用の電圧ΔＶが保持容量Ｃ１に保持された電圧から差し引かれる。この書込み期間／移動度補正期間（６）では、信号線ＳＬが信号電位Ｖｓｉｇにある時間帯にサンプリング用トランジスタＴ１を導通状態にする必要がある。この後発光期間（７）に進み、信号電位Ｖｓｉｇに応じた輝度で発光素子が発光する。その際信号電位Ｖｓｉｇは閾電圧Ｖｔｈに相当する電圧と移動度補正用の電圧ΔＶとによって調整されているため、発光素子ＥＬの発光輝度は駆動用トランジスタＴ２の閾電圧Ｖｔｈや移動度μのばらつきの影響を受けることはない。なお発光期間（７）の最初でブートストラップ動作が行われ、駆動用トランジスタＴ２のゲートＧ／ソースＳ間電圧Ｖｇｓを一定に維持したまま、駆動用トランジスタＴ２のゲート電位及びソース電位が上昇する。
【００２６】
図３−１のタイミングチャートに示したように、画素２は、制御信号ＷＳに応じてサンプリング用トランジスタＴ１がオンした時駆動用トランジスタＴ２の閾電圧Ｖｔｈを補正する電圧を保持容量Ｃ１に保持する閾電圧補正動作（５）を行い、続いて制御信号ＷＳに応じてサンプリング用トランジスタＴ１がオンした時映像信号をサンプリングして保持容量Ｃ１に書き込むと共に書込まれた映像信号に対して駆動用トランジスタＴ２の移動度μに関する補正をかける移動度補正動作（６）を行い、その後補正のかかった映像信号に応じて駆動電流を駆動用トランジスタＴ２から発光素子ＥＬに供給する（７）。
【００２７】
図３−２は、閾電圧補正動作終了後、信号書込み動作を行う駆動方式において、サンプリング用トランジスタＴ１のオン抵抗が大きい場合と小さい場合における駆動用トランジスタＴ１のゲート電位及びソース電位の変化を示す波形図である。図示するようにサンプリング用トランジスタのオン抵抗が大きい場合、信号書込み動作（このとき同時に移動度補正動作も行なわれる）において駆動用トランジスタＴ２のゲート電圧のトランジェントが遅くなる。その結果、駆動用トランジスタのソース電圧の上昇も遅くなる。このソース電圧が移動度の適正補正量△Ｖに到達する時間（６）が遅くなる。
【００２８】
引き続き図４〜図１２を参照して、図２に示した画素回路の動作を詳細に説明する。まず図４に示したように発光期間（１）では、電源電位がＶｃｃにセットされ、サンプリング用トランジスタＴ１はオフしている。このとき駆動用トランジスタＴ２は飽和領域で動作するようにセットされているため、発光素子ＥＬに流れる駆動電流Ｉｄｓは駆動用トランジスタＴ２のゲートＧ／ソースＳ間に印加される電圧Ｖｇｓに応じて、前述したトランジスタ特性式で示される値を取る。
【００２９】
続いて図５に示すように準備期間（２）に入ると給電線（電源ライン）の電位をＶｓｓにする。このときＶｓｓは発光素子ＥＬの閾電圧Ｖｔｈｅｌとカソード電圧Ｖｃａｔの和よりも小さくなるように設定している。即ちＶｓｓ＜Ｖｔｈｅｌ＋Ｖｃａｔであるので、発光素子ＥＬは消灯し、電源ライン側が駆動用トランジスタＴ２のソースとなる。このとき発光素子ＥＬのアノードはＶｓｓに充電される。
【００３０】
さらに図６に示すように次の準備期間（３）に入ると、信号線ＳＬの電位がＶｏｆｓになる一方サンプリング用トランジスタＴ１がオンして、駆動用トランジスタＴ２のゲート電位をＶｏｆｓとする。この様にして発光時における駆動用トランジスタＴ２のソースＳ及びゲートＧが初期化され、このときのゲートソース間電圧ＶｇｓはＶｏｆｓ−Ｖｓｓの値となる。Ｖｇｓ＝Ｖｏｆｓ−Ｖｓｓは駆動用トランジスタＴ２の閾電圧Ｖｔｈよりも大きな値となるように設定されている。この様にＶｇｓ＞Ｖｔｈになるように駆動用トランジスタＴ２を初期化することで、次に来る閾電圧補正動作の準備が完了する。
【００３１】
続いて図７に示すように待機期間（４）を経て閾電圧補正期間（５）に進むと、給電線ＤＳ（電源ライン）の電位がＶｃｃに戻ると共にサンプリング用トランジスタＴ１が再びオンする。電源電圧をＶｃｃとすることで発光素子ＥＬのアノードが駆動用トランジスタＴ２のソースＳとなり、図示のように電流が流れる。このとき発光素子ＥＬの等価回路は図示のようにダイオードＴｅｌと容量Ｃｅｌの並列接続で表される。アノード電位（即ちソース電位Ｖｓｓ）がＶｃａｔ＋Ｖｔｈｅｌよりも低いので、ダイオードＴｅｌはオフ状態にあり、そこに流れるリーク電流は駆動用トランジスタＴ２に流れる電流よりもかなり小さい。よって駆動用トランジスタＴ２に流れる電流はほとんどが保持容量Ｃ１と等価容量Ｃｅｌを充電するために使われる。
【００３２】
図８は図７に示した閾電圧補正期間（５）における駆動用トランジスタＴ２のソース電圧の時間変化を表している。図示するように、駆動用トランジスタＴ２のソース電圧（即ち発光素子ＥＬのアノード電圧）は時間と共にＶｓｓから上昇する。閾電圧補正期間（５）が経過すると駆動用トランジスタＴ２はカットオフし、そのソースＳとゲートＧとの間の電圧ＶｇｓはＶｔｈとなる。このときソース電位はＶｏｆｓ−Ｖｔｈで与えられる。この値Ｖｏｆｓ−Ｖｔｈは依然としてＶｃａｔ＋Ｖｔｈｅｌよりも低くなっていれば、発光素子ＥＬは遮断状態にある。
【００３３】
図８のグラフに示したように、駆動用トランジスタＴ２のソース電圧は時間と共に上昇していく。しかしながら本例では駆動用トランジスタＴ２のソース電圧がＶｏｆｓ−Ｖｔｈに達する前に、１回目の閾電圧補正期間（５）が終わるため、サンプリング用トランジスタＴ１がオフし、待機期間（５ａ）に入る。図９はこの待機期間（５ａ）における画素回路の状態を表している。この１回目の待機期間（５ａ）では駆動用トランジスタＴ２のゲートＧ／ソースＳ間電圧Ｖｇｓは依然としてＶｔｈよりも大きいため、図示のように電源Ｖｃｃから駆動用トランジスタＴ２を通って保持容量Ｃ１に電流が流れる。これにより駆動用トランジスタＴ２のソース電圧が上昇するが、サンプリング用トランジスタＴ１がオフでゲートＧがハイインピーダンスにあるため、ゲートＧの電位もソースＳの電位上昇に合わせて上昇していく。即ちこの１回目の待機期間（５ａ）ではブートストラップ動作で駆動用トランジスタＴ２のソース電位及びゲート電位が共に上昇していく。このとき発光素子ＥＬには引き続き逆バイアスがかかっているため、発光素子ＥＬが発光することはない。
【００３４】
この後１Ｈ経過して再び信号線ＳＬの電位がＶｏｆｓとなったときサンプリング用トランジスタＴ１をオンして２回目の閾電圧補正動作を開始する。この後２回目の閾電圧補正期間（５）が経過したら２回目の待機期間（５ａ）に移る。この様に閾電圧補正期間（５）と待機期間（５ａ）を繰り返すことで、最終的に駆動用トランジスタＴ２のゲートＧ／ソースＳ間電圧はＶｔｈに相当する電圧に達する。このとき駆動用トランジスタＴ２のソース電位はＶｏｆｓ−Ｖｔｈで、Ｖｃａｔ＋Ｖｔｈｅｌよりも小さくなっている。
【００３５】
次に図１０に示すように信号書込み期間／移動度補正期間（６）に入ると、信号線ＳＬの電位をＶｏｆｓからＶｓｉｇに切り換えする。このとき信号電位Ｖｓｉｇは階調に応じた電圧となっている。駆動用トランジスタＴ２のゲート電位はサンプリング用トランジスタＴ１をオンしているためＶｓｉｇとなる。一方ソース電位は電源Ｖｃｃから電流が流れるため時間と共に上昇していく。この時点でも駆動用トランジスタＴ２のソース電位が発光素子ＥＬの閾電圧Ｖｔｈｅｌとカソード電圧Ｖｃａｔの和を超えていなければ、駆動用トランジスタＴ２から流れる電流はもっぱら等価容量Ｃｅｌと保持容量Ｃ１の充電に使われる。このとき既に駆動用トランジスタＴ２の閾電圧補正動作は完了しているため、駆動用トランジスタＴ２が流す電流は移動度μを反映したものとなる。具体的に言うと移動度μが大きい駆動用トランジスタＴ２はこのときの電流量が大きく、ソースの電位上昇分ΔＶも大きい。逆に移動度μが小さい場合駆動用トランジスタＴ２の電流量が小さく、ソースの上昇分ΔＶは小さくなる。かかる動作により駆動用トランジスタＴ２のゲート電圧Ｖｇｓは移動度μを反映してΔＶだけ圧縮され、移動度補正期間（６）が完了した時点で完全に移動度μを補正したＶｇｓが得られる。
本発明の特徴事項として、サンプリング用トランジスタＴ１は、閾電圧補正動作時（５）におけるオン抵抗よりも、移動度補正動作時（６）におけるオン抵抗の方が高くなるように制御されている。具体的には、スキャナ４は、閾電圧補正動作時（５）サンプリング用トランジスタＴ１の制御端に印加する制御信号ＷＳの電圧レベルよりも、移動度補正動作時（６）サンプリング用トランジスタＴ１の制御端に印加する制御信号ＷＳの電圧レベルを低く設定し、以って閾電圧補正動作時におけるサンプリング用トランジスタＴ１のオン抵抗よりも、移動度補正動作時におけるサンプリング用トランジスタＴ１のオン抵抗の方が高くなるように制御する。サンプリング用トランジスタＴ２のオン抵抗を上げることで移動度補正の時間（６）を長くすることができる。その結果、信号書込み動作を決定する制御信号波形のなまりやバラツキの影響を小さくすることができるため、ムラやスジのない均一な画質を得ることができる。
【００３６】
図１１は、上述した移動度補正期間（６）における駆動用トランジスタＴ２のソース電圧の時間的な変化を示すグラフである。図示するように駆動用トランジスタＴ２の移動度が大きいとソース電圧は速く上昇し、それだけＶｇｓが圧縮される。即ち移動度μが大きいとその影響を打ち消すようにＶｇｓが圧縮され、駆動電流が抑制できる。一方移動度μが小さい場合駆動用トランジスタＴ２のソース電圧はそれほど速く上昇しないので、Ｖｇｓも強く圧縮を受けることはない。したがって移動度μが小さい場合、駆動用トランジスタのＶｇｓは小さい駆動能力を補うように大きな圧縮がかからない。
【００３７】
図１２は発光期間（７）の動作状態を表している。この発光期間（７）ではサンプリング用トランジスタＴ１をオフして発光素子ＥＬを発光させる。駆動用トランジスタＴ２のゲート電圧Ｖｇｓは一定に保たれており、駆動用トランジスタＴ２は前述した特性式に従って一定の電流Ｉｄｓ´を発光素子ＥＬに流す。発光素子ＥＬのアノード電圧（即ち駆動用トランジスタＴ２のソース電圧）は発光素子ＥＬにＩｄｓ´という電流が流れるため、Ｖｘまで上昇しこれがＶｃａｔ＋Ｖｔｈｅｌを超えた時点で発光素子ＥＬが発光する。発光素子ＥＬは発光時間が長くなるとその電流／電圧特性は変化してしまう。そのため図１１に示したソースＳの電位が変化する。しかしながら駆動用トランジスタＴ２のゲート電圧Ｖｇｓはブートストラップ動作により一定値に保たれているので、発光素子ＥＬに流れる電流Ｉｄｓ´は変化しない。よって発光素子ＥＬの電流／電圧特性が劣化しても、一定の駆動電流Ｉｄｓ´が常に流れていて、発光素子ＥＬの輝度が変化することはない。
【００３８】
図１３は、本発明にかかる表示装置の第２実施形態の動作シーケンスを示すタイミングチャートである。理解を容易にするため、図３−１に示した第１実施形態にかかる動作シーケンスのタイミングチャートと同様の表記を採用している。図示するように、本実施形態では二段階方式を採用しており、映像信号を保持容量に書き込むとき、信号ドライバは信号線ＳＬを基準電位Ｖｏｆｓから中間電位Ｖｏｆｓ２に切換えその後映像信号の信号電位Ｖｓｉｇに切換えている。一方ライトスキャナは、信号線ＳＬが中間電位Ｖｏｆｓ２にあるとき１発目の制御信号パルスを走査線ＷＳに供給してサンプリング用トランジスタＴ１をオンオフ制御し、続いて信号線ＳＬが信号電位Ｖｓｉｇにあるとき２発目の制御信号パルスを供給してサンプリング用トランジスタＴ１をオンオフ制御している。この様にすることで、移動度補正期間は前半期間（６ａ）と後半期間（６ｂ）に分離することができる。前半期間（６ａ）では１回目の移動度補正動作（移動度補正１）が行われ、後半期間（６ｂ）では２回目の移動度補正動作（移動度補正２）と信号書き込み動作が同時に行われる。
【００３９】
タイミングチャートから明らかなように、前半期間（６ａ）と後半期間（６ｂ）は中間期間（５ａ）で分離している。この中間期間（５ａ）ではサンプリング用トランジスタＴ１は１発目の制御信号パルスの立下りから２発目の制御信号パルスの立上りまでの間オフ状態を維持している。この中間期間（５ａ）の間、駆動用トランジスタＴ２の制御端となるゲートＧの電位は、ソースＳとなる電流端との電位差Ｖｇｓを維持したままブートストラップ動作で上方に変動している。この中間期間（５ａ）で映像信号がＶｓｉｇとＶｏｆｓ２との間で切り換わり大きく変化するにもかかわらず、Ｖｇｓは一定値を保つため、入力信号波形の影響をまったく受けない。よって、本実施形態では、映像信号の波形が信号線に沿って大きく鈍る場合でも、その影響を受けることなく駆動用トランジスタＴ２のゲートソース間電圧を一定に維持できる。したがって、列状の信号線の上端即ち信号入力端側と、列状の信号線の下端即ち信号入力逆側とでシェーディングなどのムラが発生せず、均一な画質を得ることができる。
【００４０】
ここで２度に分けて行う移動度補正動作について考える。前述の通り本駆動では１度目の移動度補正動作（６ａ）と２度目の移動度補正動作（６ｂ）の間にある待機期間（５ａ）でも、駆動用トランジスタＴ２のゲート電圧及びソース電圧がブートストラップ動作で上昇する。ソース電圧が上昇するためにこの動作も移動度補正を行っていると考えることができる。本来、移動度補正動作は信号書込み時にのみ行うものであったが、本駆動方式をとることで信号書込み動作開始時におけるソース電圧はある程度高い状態、つまりある程度移動度補正が行われている状態で信号書込み動作が行われる。これにより信号書込み時にのみ行う移動度補正動作に比べて本駆動では信号書込み時間が短くなってしまう。
【００４１】
そこで本実施形態では，ライトスキャナ４は、移動度補正動作時サンプリング用トランジスタＴ１の制御端に第１の制御信号と第２の制御信号を印加して、サンプリング用トランジスタＴ１を一回目（６ａ）と二回目（６ｂ）に分けて順次オンする。一回目のオン抵抗は、閾電圧補正時（５）のオン抵抗と同じに制御され、二回目のオン抵抗は、閾電圧補正時のオン抵抗よりも高く制御される。これにより移動度補正時間（６）を延長化できる。好ましくは、サンプリング用トランジスタＴ１は一回目にオンする時、映像信号の信号電位Ｖｓｉｇより低い電位Ｖｏｆｓ２をサンプリングして保持容量Ｃ１に書込み、二回目にオンする時、映像信号の信号電位Ｖｓｉｇをサンプリングして保持容量Ｃ１に書込む。
【００４２】
図１４は、本発明にかかる表示装置の第３実施形態を示す模式的な画素回路図である。図示するように、画素２は、サンプリング用トランジスタＴ１と、駆動用トランジスタＴ２と、保持容量Ｃ１と、発光素子ＥＬとを含む。サンプリング用トランジスタＴ１は、その制御端が走査線に接続し、その一対の電流端が信号線ＳＬと駆動用トランジスタＴ２の制御端との間に接続している。駆動用トランジスタＴ２は、その電流端が発光素子ＥＬに接続している。保持容量Ｃ１は、駆動用トランジスタＴ２の制御端と電流端との間に接続している。図示しないが、駆動部は、各走査線に順次制御信号を供給するスキャナと、各信号線ＳＬに映像信号を供給するドライバとを有する。画素２は、制御信号に応じてサンプリング用トランジスタＴ１がオンした時駆動用トランジスタＴ２の閾電圧Ｖｔｈを補正する電圧を保持容量Ｃ１に保持する閾電圧補正動作を行い、続いて制御信号に応じてサンプリング用トランジスタＴ１がオンした時映像信号をサンプリングして保持容量Ｃ１に書き込むと共に書込まれた映像信号に対して駆動用トランジスタＴ２の移動度に関する補正をかける移動度補正動作を行い、その後補正のかかった映像信号に応じて駆動電流を駆動用トランジスタＴ２から発光素子ＥＬに供給する。特徴事項として、サンプリング用トランジスタＴ１は、信号線ＳＬと駆動用トランジスタＴ２の制御端との間に並列に接続した一対のトランジスタ素子Ｔ１ａ，Ｔ１ｂからなり、閾電圧補正動作時一対のトランジスタ素子Ｔ１ａ，Ｔ１ｂの両方が制御信号に応じてオンし、移動度補正動作時一対のトランジスタ素子Ｔ１ａ，Ｔ１ｂの片方のみが制御信号に応じてオンし、以って閾電圧補正動作時におけるサンプリング用トランジスタＴ１のオン抵抗よりも、移動度補正動作時におけるサンプリング用トランジスタＴ１のオン抵抗の方が高くなるように制御する。
【００４３】
図１５は、図１４に示した画素回路の動作説明に供するタイミングチャートである。理解を容易にするため、図１３に示した先の実施形態のタイミングチャートと同様の表記を採用している。図示するように、閾電圧補正動作時（５）一対のトランジスタ素子Ｔ１ａ，Ｔ１ｂの両方が制御信号に応じてオンし、移動度補正時（６ｂ）一対のトランジスタ素子Ｔ１ａ，Ｔ１ｂの内片方のトランジスタ素子Ｔ１ｂのみが制御信号に応じてオンし、以って閾電圧補正動作時（５）におけるサンプリング用トランジスタＴ１の合成オン抵抗よりも、移動度補正動作時（６ｂ）におけるサンプリング用トランジスタＴ１の合成オン抵抗の方が高くなるように制御する。
【００４４】
本実施形態は、サンプリング用トランジスタを２つ以上並列に接続して信号書込み時には少なくとも１つをオフする駆動方式をとっている。本実施形態により、電流を流しながら短時間で移動度補正を行う駆動方式において、サンプリング用トランジスタを複数個並列に接続してその中の少なくとも１つは信号書込み動作と同時に行う移動度補正動作時にオフすることで信号書込み動作と同時に行う移動度補正動作の時間を長くすることができ、移動度補正を制御する制御信号パルスのなまりやバラツキが移動度補正動作に与える影響を小さくすることができる。その結果、高精細化・大画面化が実現可能であり、ムラやスジ、シェーディングといった画質不良のない均一な画質を得ることが可能となっている。
【００４５】
本発明にかかる表示装置は、図１６に示すような薄膜デバイス構成を有する。本図は、絶縁性の基板に形成された画素の模式的な断面構造を表している。図示するように、画素は、複数の薄膜トランジタを含むトランジスター部（図では１個のＴＦＴを例示）、保持容量などの容量部及び有機ＥＬ素子などの発光部とを含む。基板の上にＴＦＴプロセスでトランジスター部や容量部が形成され、その上に有機ＥＬ素子などの発光部が積層されている。その上に接着剤を介して透明な対向基板を貼り付けてフラットパネルとしている。
【００４６】
本発明にかかる表示装置は、図１７に示すようにフラット型のモジュール形状のものを含む。例えば絶縁性の基板上に、有機ＥＬ素子、薄膜トランジスタ、薄膜容量等からなる画素をマトリックス状に集積形成した画素アレイ部を設ける、この画素アレイ部（画素マトリックス部）を囲むように接着剤を配し、ガラス等の対向基板を貼り付けて表示モジュールとする。この透明な対向基板には必要に応じて、カラーフィルタ、保護膜、遮光膜等を設けてももよい。表示モジュールには、外部から画素アレイ部への信号等を入出力するためのコネクタとして例えばＦＰＣ（フレキシブルプリントサーキット）を設けてもよい。
【００４７】
以上説明した本発明における表示装置は、フラットパネル形状を有し、様々な電子機器、例えば、デジタルカメラ、ノート型パーソナルコンピューター、携帯電話、ビデオカメラなど、電子機器に入力された、若しくは、電子機器内で生成した映像信号を画像若しくは映像として表示するあらゆる分野の電子機器のディスプレイに適用することが可能である。以下この様な表示装置が適用された電子機器の例を示す。
【００４８】
図１８は本発明が適用されたテレビであり、フロントパネル１２、フィルターガラス１３等から構成される映像表示画面１１を含み、本発明の表示装置をその映像表示画面１１に用いることにより作製される。
【００４９】
図１９は本発明が適用されたデジタルカメラであり、上が正面図で下が背面図である。このデジタルカメラは、撮像レンズ、フラッシュ用の発光部１５、表示部１６、コントロールスイッチ、メニュースイッチ、シャッター１９等を含み、本発明の表示装置をその表示部１６に用いることにより作製される。
【００５０】
図２０は本発明が適用されたノート型パーソナルコンピュータであり、本体２０には文字等を入力するとき操作されるキーボード２１を含み、本体カバーには画像を表示する表示部２２を含み、本発明の表示装置をその表示部２２に用いることにより作製される。
【００５１】
図２１は本発明が適用された携帯端末装置であり、左が開いた状態を表し、右が閉じた状態を表している。この携帯端末装置は、上側筐体２３、下側筐体２４、連結部（ここではヒンジ部）２５、ディスプレイ２６、サブディスプレイ２７、ピクチャーライト２８、カメラ２９等を含み、本発明の表示装置をそのディスプレイ２６やサブディスプレイ２７に用いることにより作製される。
【００５２】
図２２は本発明が適用されたビデオカメラであり、本体部３０、前方を向いた側面に被写体撮影用のレンズ３４、撮影時のスタート／ストップスイッチ３５、モニター３６等を含み、本発明の表示装置をそのモニター３６に用いることにより作製される。
【図面の簡単な説明】
【００５３】
【図１】本発明にかかる表示装置の第１実施形態の全体構成を示すブロック図である。
【図２】図１に示した表示装置に配される画素の一例を示す回路図である。
【図３−１】図２に示した画素の動作を示すタイミングチャートである。
【図３−２】図２に示した画素の動作を示す波形図である。
【図４】図２に示した画素の動作説明に供する模式図である。
【図５】同じく動作説明に供する模式図である。
【図６】同じく動作説明に供する模式図である。
【図７】同じく動作説明に供する模式図である。
【図８】同じく動作説明に供するグラフである。
【図９】同じく動作説明に供する模式図である。
【図１０】同じく動作説明に供する模式図である。
【図１１】同じく動作説明に供するグラフである。
【図１２】同じく動作説明に供する模式図である。
【図１３】本発明にかかる表示装置の第２実施形態の動作を示すタイミングチャートである。
【図１４】本発明にかかる表示装置の第３実施形態の画素構成を示す回路図である。
【図１５】図１４に示した画素の動作のを示すタイミングチャートである。
【図１６】本発明にかかる表示装置のデバイス構成を示す断面図である。
【図１７】本発明にかかる表示装置のモジュール構成を示す平面図である。
【図１８】本発明にかかる表示装置を備えたテレビジョンセットを示す斜視図である。
【図１９】本発明にかかる表示装置を備えたデジタルスチルカメラを示す斜視図である。
【図２０】本発明にかかる表示装置を備えたノート型パーソナルコンピューターを示す斜視図である。
【図２１】本発明にかかる表示装置を備えた携帯端末装置を示す模式図である。
【図２２】本発明にかかる表示装置を備えたビデオカメラを示す斜視図である。
【図２３】従来の表示装置の一例を示す回路図である。
【図２４】従来の表示装置の問題点を表すグラフである。
【図２５】従来の表示装置の別の例を示す回路図である。
【符号の説明】
【００５４】
１・・・画素アレイ部、２・・・画素、３・・・信号ドライバ、４・・・ライトスキャナ、５・・・ドライブスキャナ、Ｔ１・・・サンプリング用トランジスタ、Ｔ２・・・駆動用トランジスタ、Ｃ１・・・保持容量、ＥＬ・・・発光素子、ＷＳ・・・走査線、ＤＳ・・・給電線、ＳＬ・・・信号線
【図１】
2010091641.tif 000003
【図２】
2010091641.tif 000004
【図３−１】
2010091641.tif 000005
【図３−２】
2010091641.tif 000006
【図４】
2010091641.tif 000007
【図５】
2010091641.tif 000008
【図６】
2010091641.tif 000009
【図７】
2010091641.tif 000010
【図８】
2010091641.tif 000011
【図９】
2010091641.tif 000012
【図１０】
2010091641.tif 000013
【図１１】
2010091641.tif 000014
【図１２】
2010091641.tif 000015
【図１３】
2010091641.tif 000016
【図１４】
2010091641.tif 000017
【図１５】
2010091641.tif 000018
【図１６】
2010091641.tif 000019
【図１７】
2010091641.tif 000020
【図１８】
2010091641.tif 000021
【図１９】
2010091641.tif 000022
【図２０】
2010091641.tif 000023
【図２１】
2010091641.tif 000024
【図２２】
2010091641.tif 000025
【図２３】
2010091641.tif 000026
【図２４】
2010091641.tif 000027
【図２５】
2010091641.tif 000028